(57)【要約】【課題】電気機器の機能又は操作の設定を行うための簡単な方法を提供することを目的とする。【解決手段】電気機器における機能又は操作の設定方法は、機能又は操作の設定情報を含む２次元コードを読み取ることと、上記読み取った２次元コードより上記機能又は操作の設定情報を復元することと、上記復元した機能又は操作の設定項目を表示部に表示することと、上記表示された機能又は操作の設定項目を確定することと、を含む。【選択図】　図１
2004145525.tif 000002
【特許請求の範囲】
【請求項１】
機能又は操作の設定情報を含む２次元コードを読み取るための読取りステップと、上記読み取った２次元コードより上記機能又は操作の設定情報を復元するための復元ステップと、上記復元した機能又は操作の設定項目を表示部に表示するための表示ステップと、上記表示された機能又は操作の設定項目を確定するための決定ステップと、を含む電気機器の機能又は操作の設定方法。
【請求項２】
請求項１記載の電気機器の機能又は操作の設定方法において、２次元コードを編集するためのアプリケーションプログラムを有するコンピュータ装置によって電気機器の機能又は操作の設定情報を２次元コードに変換することと、該２次元コードをディスプレイ装置に表示することと、を含み、上記読取りステップは、上記ディスプレイ装置に表示された２次元コードを読み取ることを特徴とする電気機器の機能又は操作の設定方法。
【請求項３】
請求項１記載の電気機器の機能又は操作の設定方法において、上記読取りステップは、取り扱い説明書に記載された２次元コードを読み取ることを特徴とする電気機器の機能又は操作の設定方法。
【請求項４】
２次元コードを読み取るための読取り部と、該読取り部によって読み取られた２次元コードに含まれる情報を復元するための２次元コード解析部と、該２次元コード解析部によって復元された情報を表示するための表示部と、を有し、上記表示部に表示された決定ボタンを操作することによって、上記表示部に表示された機能又は操作の設定がなされることを特徴とする電気機器。
【請求項５】
機能又は操作の設定情報と該機能又は操作の設定情報を含む２次元コードを記載した取り扱い説明書。
【発明の詳細な説明】
【０００１】
【発明の属する技術分野】
本発明は、電気機器の各種の機能又は操作の設定方法に関し、特に、携帯端末の各種の機能又は操作の設定方法に関する。
【０００２】
【従来の技術】
電気機器では、ユーザの好みに応じて各種の機能又は操作を設定することが可能である。例えば、携帯電話の場合、多種多様な機能と操作方法を有し、それに対してユーザは所望の内容を設定することができる。設定方法として、ファンクションメニューから順に設定項目を探す方法とファンクションナンバーを入力することによって設定項目に到達する方法がある。
【０００３】
図６を参照して携帯電話において、ファンクションメニューを利用してメールの着信音量を設定する方法を説明する。図示のように、携帯端末の表示部に、ファンクションメニューから「Ｆ．ファンクション」「１．音」「０．着信設定」「２．メール着信」「２．着信音量」の順序で選択することにより、メールの着信音量設定画面に到達する。「音量３」を選択し、決定ボタンを操作することにより、メールの着信音量を設定する。
ファンクションメニューを利用する場合、多くの機能がある携帯端末では、設定画面に到達するまでに多数の選択をしなければならない。
【０００４】
図７を参照して携帯電話において、ファンクションナンバーを利用してメールの着信音量を設定する方法を説明する。図示のように、ファンクションナンバー「Ｆ１０２２」を入力することによってメールの着信音量の設定画面に到達する。同様に、「音量３」を選択し、決定ボタンを操作することにより、メールの着信音量を設定する。
【０００５】
ファンクションナンバーを利用する場合、ファンクションナンバーと設定項目の対応表を参照して所望の設定項目に対するファンクションナンバーを探し出さなければならない。また、探し出したファンクションナンバーを正しく入力しなければならない。
【０００６】
【特許文献１】
特開平１０−１２６４８０号公報
【０００７】
【発明が解決しようとする課題】
電気機器における機能及び操作の増加及び複雑化に伴い、ユーザが設定することができる項目が増加し、必要な設定に時間がかかり、設定に熟練を要する。
【０００８】
特に携帯端末のように多機能化が進むと、必要な機能の設定を行うための操作が複雑になり、高機能であるほど設定項目が多くなり、その操作性が著しく低下する。
本発明は、電気機器の機能又は操作の設定を行うための簡単な方法を提供することを目的とする。
【０００９】
【課題を解決するための手段】
本発明によると、電気機器の機能又は操作の設定方法は、機能又は操作の設定情報を含む２次元コードを読み取るための読取りステップと、上記読み取った２次元コードより上記機能又は操作の設定情報を復元するための復元ステップと、上記復元した機能又は操作の設定項目を表示部に表示するための表示ステップと、上記表示された機能又は操作の設定項目を確定するための決定ステップと、を含む。
従って、電気機器の機能又は操作の設定を簡単に行うことができる。
【００１０】
【発明の実施の形態】
図１を参照して本発明による携帯端末の構成例を説明する。本例の携帯端末１０は、２次元コードを読み込むための画像読取り部１１と、画像読取り部１１によって読み込まれた２次元コードより元の情報を復元するための２次元コード解析部１２と、２次元コード解析部１２によって復元された情報を表示するための表示部１３と、ユーザが各種の命令を入力するための操作キー１４と、２次元コード解析部１２によって復元された情報等を記憶するためのメモリ１５と、携帯端末の各部及び全体の動作を制御するための制御部１６と、を有する。画像読取り部１１は小型カメラであってよい。
【００１１】
尚、以下に、２次元コードとしてＱＲコード（Ｑｕｉｃｋ　　Ｒｅｓｐｏｎｓｅ　　Ｃｏｄｅ）を例に説明するが、本発明は、ＱＲコード以外の２次元コードが用いられてよい。２次元コードには、ＱＲコード、マキシコード、データコード等のマトリックス型とＰＤＦ４１７のようなスタック型があるが、本発明ではどちらでもよい。
【００１２】
ＱＲコードＢ１はデータ領域Ｂ１１と切り出しシンボルＢ１２を有し、データ領域Ｂ１１はセルＢ１２からなる。
図２を参照して図１の携帯端末におけるメールの着信音量を設定する場合のキー操作の手順を説明する。
【００１３】
先ず、ステップＳ１にて、携帯端末１０の画像読取り部１１によって２次元コードを読み取る。２次元コードは、２次元コード解析部１２によって復元され、メールの着信音の設定項目が得られる。ステップＳ２にて、携帯端末１０の表示部１３にメールの着信音の「音量３」の設定項目の確認が表示される。ステップＳ３にて、「決定」のキーを操作することによって設定が完了する。
【００１４】
図３を参照して図１の携帯端末における２次元コードを利用した設定の処理を説明する。ステップＦ１にて、携帯端末１０の画像読取り部１１によって２次元コードを読み取る。ステップＦ２にて、読み取られた２次元コードが、携帯端末１０の機能又は操作を設定するための設定ファイルなのか通常の２次元コードなのかを判定する。２次元コードが設定ファイルでなければ、ステップＦ４にて、通常の２次元コードを読み取る処理を行う。２次元コードが設定ファイルであれば、ステップＦ３にて、携帯端末１０の表示部１１に、設定項目のリストを表示し、ユーザに設定確認を促す。ステップＦ５にて、ユーザが「決定」のキーを操作したか否かを判定する。ユーザが「決定」のキーを操作しないと、ステップＦ１に戻り、２次元コードを読み取る。ユーザが「決定」のキーを操作すると、ステップＦ６にて、２次元コードに登録された項目が設定される。
【００１５】
図４を参照して、コンピュータを使用して、携帯端末１０の機能又は操作の設定を行う手順を説明する。ここでは、メールの着信音量設定の「１．通常着信」及び「２．メール着信」に関して説明する。
【００１６】
本例では、コンピュータには、携帯端末の機能又は操作の設定情報を含む２次元コードを編集するためのアプリケーションプログラムが装填されている。先ず、このアプリケーションプログラムによって携帯端末１０の機能又は操作の設定手順を読み込む。次に、通常着信の設定項目である着信パターン（Ｒ１）、着信音量（Ｒ２）、バイブ設定（Ｒ３）、バイブパターン（Ｒ４）をディスプレイ装置の画面に表示し、その内容をそれぞれのプルダウンメニューにより選択する。同様にメール着信の設定項目である着信パターン（Ｒ５）、着信音量（Ｒ６）、バイブ設定（Ｒ７）、バイブパターン（Ｒ８）を表示し、その内容をそれぞれのプルダウンメニューにより選択する。
決定ボタン（Ｒ１０）をクリックすることによって、ディスプレイ装置の画面（Ｒ９）に設定情報を含む２次元コードが表示される。
【００１７】
これを図１にて示した携帯端末１０の画像読取り部１１によって読み取り、図３の手順にて自動設定を行う。こうして本例では、複雑なキー操作を行うこと無しに、「１．通常着信」及び「２．メール着信」の設定を行うことができる。
【００１８】
図５を参照して本例の携帯端末の取扱説明書の例を説明する。取扱説明書（Ｔ１）には通常、操作の設定手順が説明されている。本例では、この説明（Ｔ２）の横に、機能又は操作の設定手順情報を含んだ２次元コード（Ｔ３）が記載されている。従って、設定したい項目の探し、その項目の横の２次元コードを携帯端末の画像読取り部１１によって読み取らせることによって、容易に自動設定を行うことができる。
【００１９】
以上、本発明の例を説明したが、本発明は上述の例に限定されるものではなく、特許請求の範囲に記載された発明の範囲にて様々な変形が可能であることは当業者に理解されよう。
上述の説明では、携帯端末の機能又は操作の設定を例に説明したが、本発明は携帯端末以外の電気機器の設定に適用することができる。
【００２０】
【発明の効果】
本発明によると、電気機器における機能又は操作の設定を簡易化することができる効果がある。
【００２１】
本発明によると、電気機器における機能又は操作の設定を簡易化することができるから、今まで使用頻度の低かった機能の使用頻度が高くなり、更に、さらに高度で複雑な設定が可能になる効果がある。
【図面の簡単な説明】
【図１】本発明による携帯端末の構成例を説明するための説明図である。
【図２】本発明による携帯端末の設定操作を説明するための説明図である。を示す。
【図３】本発明による２次元コードを利用した機器の設定方法を示す流れ図である。
【図４】本発明によるコンピュタを使用して携帯端末の機能又は操作の設定を行う方法を説明するための説明図である。
【図５】本発明による２次元コードを記載した取扱説明書の例を示す図である。
【図６】従来の携帯電話における設定操作の例を説明するための説明図である。
【図７】従来の携帯電話における設定操作の例を説明するための説明図である。
【符号の説明】
１０…携帯端末、　１１…画像読取り部、　１２…２次元コード解析部、　１３…表示部、　１４…操作キー、　１５…メモリ、　１６…制御部、　Ｂ１…ＱＲコード
【図１】
2004145525.tif 000003
【図２】
2004145525.tif 000004
【図３】
2004145525.tif 000005
【図４】
2004145525.tif 000006
【図５】
2004145525.tif 000007
【図６】
2004145525.tif 000008
【図７】
2004145525.tif 000009